(57)【要約】ソフトタイプのスノーボードブーツで利用できるステップインバインディング方式の為の、軽量化、低価格化を図ることができるスノーボードブーツ用ホルダを提供する。【解決手段】１対のピラーＰは、横断面がＬ字状の細長い板状であって、コーナーを挟んでベース面と立上がり面とを有する。各ピラーＰは、互いにベース面を同一平面上に配置し、ベース面を内側にし、立上がり面を外側にして互いに並列に配置される。爪先プレート２は、１対のピラーＰのベース面の前部に固定される。踵プレート３は、１対のピラーＰのベース面の後部に固定される。ヒールカップＨは、１対のピラーＰの後部に設けられる。スポイラーＳは、ヒールカップＨに設けられる。前ベルトＢ１は、ピラーＰの前部または爪先プレート２に設けられる。後ベルトＢ２は、ヒールカップＨ、１対のピラーＰの後部または踵プレート３に設けられる。【選択図】図１
2004147808.tif 000002
【特許請求の範囲】
【請求項１】
ブーツホルダーベースＡを有するスノーボードブーツ用ホルダであって、
前記ブーツホルダーベースＡは１対のピラーＰと爪先プレート２と踵プレート３とを有し、
各ピラーＰは横断面がＬ字状の細長い板状であってコーナーを挟んでベース面と立上がり面とを有し、互いに前記ベース面を同一平面上に配置し前記ベース面を内側にし、前記立上がり面を外側にして互いに並列に配置され、
前記爪先プレート２は前記１対のピラーＰのベース面の先端部に固定され、
前記踵プレート３は前記１対のピラーＰのベース面の後端部に固定されていることを、
特徴とするスノーボードブーツ用ホルダ。
【請求項２】
スノーボードブーツに着脱可能に取り付けられるスノーボードブーツ用ホルダであって、ブーツホルダーベースＡと、ヒールカップＨと、スポイラーＳと、前ベルトＢ１と、後ベルトＢ２とを有し、
前記ブーツホルダーベースＡは１対のピラーＰと爪先プレート２と踵プレート３とを有し、
各ピラーＰは横断面がＬ字状の細長い板状であってコーナーを挟んでベース面と立上がり面とを有し、互いに前記ベース面を同一平面上に配置し前記ベース面を内側にし、前記立上がり面を外側にして互いに並列に配置され、
前記爪先プレート２は前記１対のピラーＰのベース面の先端部に固定され、
前記踵プレート３は前記１対のピラーＰのベース面の後端部に固定され、
前記ヒールカップＨはスノーボードブーツの踵部を保持するよう前記１対のピラーＰの後端部に固定され、
前記スポイラーＳはスノーボードブーツの後部を保持するよう前記ヒールカップＨに固定され、
前記前ベルトＢ１はスノーボードブーツの甲部を保持するよう前記ピラーＰの先端部または前記爪先プレート２に固定され、
前記後ベルトＢ２はスノーボードブーツの足首部を保持するよう前記ヒールカップＨ、前記１対のピラーＰの後端部または前記踵プレート３に固定されていることを、
特徴とするスノーボードブーツ用ホルダ。
【請求項３】
前記爪先プレート２および前記踵プレート３は、リベットまたはボルトを用いて前記１対のピラーＰに固定され、底面に弾性体のスパイクＫを有することを、
特徴とする請求項１または２記載のスノーボードブーツ用ホルダ。
【請求項４】
前記爪先プレート２および前記踵プレート３は、バネ鋼、ＦＲＰまたは硬質プラスチックを芯材としてウレタンゴム、エラストマー、ゴムその他の弾性材で被覆したものから成ることを、特徴とする請求項１，２または３記載のスノーボードブーツ用ホルダ。
【請求項５】
前記爪先プレート２および前記踵プレート３はプラスチックから成り、それぞれ両側部に前記１対のピラーＰの前端部および後端部を挿入可能な保持部を有し、各ピラーＰは前記前端部および前記後端部が各保持部に挿入されて固定されていることを、特徴とする請求項１，２，３または４記載のスノーボードブーツ用ホルダ。
【請求項６】
前記爪先プレート２および前記踵プレート３は前記１対のピラーＰに固定位置を調節可能に取り付けられていることを、特徴とする請求項１，２，３，４または５記載のスノーボードブーツ用ホルダ。
【請求項７】
前記ヒールカップＨは前記１対のピラーＰのベース面に取り付けられていることを、特徴とする請求項２，３，４，５または６記載のスノーボードブーツ用ホルダ。
【請求項８】
前記前ベルトＢ１は複数のベルト部を連結して成り、各ベルト支点部は前記ピラーＰに取り付けられていることを、
特徴とする請求項２，３，４，５，６または７記載のスノーボードブーツ用ホルダ。
【請求項９】
前記１対のピラーＰおよび前記ヒールカップＨは一体に構成されていることを、特徴とする請求項２，３，４，５，６または８記載のスノーボードブーツ用ホルダ。
【請求項１０】
前記ヒールカップＨは両側部に後方への突出部を有し、前記後ベルトＢ２は前記突出部に取り付けられていることを、特徴とする請求項２，３，４，５，６，７，８または９記載のスノーボードブーツ用ホルダ。
【請求項１１】
前記爪先プレート２および前記前ベルトＢ１は一体に構成されていることを特徴とする請求項２，３，４，５，６，７または９記載のスノーボードブーツ用ホルダ。
【請求項１２】
前記ヒールカップＨおよび前記スポイラーＳはプラスチックまたはＦＲＰから成って一体に構成され、各ピラーＰに角度調節機構を介して取り付けられていることを、特徴とする請求項２，３，４，５，６，７，８，９、１０または１１記載のスノーボードブーツ用ホルダ。
【発明の詳細な説明】
【０００１】
【発明の属する技術分野】
本発明は、スノーボードブーツに着脱可能に取り付けられるスノーボードブーツ用ホルダに関する。
【０００２】
【従来の技術】
スノーボードは、使用するブーツの硬さによって大きく２種類に分けることができる。スキーから変化したハードタイプと、サーフィン、スケートボードから変化したソフトタイプである。ハードタイプに用いられるブーツは、スキー靴とほとんど同じ構造、硬さである。ソフトタイプに用いられるブーツは、防寒を主とした感じの柔らかいブーツである。
【０００３】
現在、スノーボード市場では、ブーツをワンタッチで着脱できる、ステップインバインディング（ステップイン）と呼ばれる機構のものが販売されている。ステップインのほとんどは、ブーツに金属部品を取り付け、それをスノーボードに取り付けた固定器具にかみ合わせる方式のものである。これらはスキーのステップインバインデイングの方式と同じ発想から開発された方式であり、ブーツの強度に依存した固定方式である。すなわち、スキー靴という非常に硬い靴底と、それに付随した全体の強度とがあるために可能となる方式である。
【０００４】
スキーのためのステップイン方式をスノーボードのステップイン方式に利用するためには、スキー靴と同じく、スノーボード用のブーツを硬くする必要がある。ブーツを柔らかくした場合、ブーツと金具の接合部が壊れやすくなるためである。スキー靴に類似した比較的硬いブーツを利用するスノーボードに関する従来技術としては、ＥＰＯ０９６６９９４，ＥＰＯ０９５９７０２，ＵＳＰ５９７１４２２などの各公報に示すものがある。
【０００５】
また、人間の足の形状は、非常に複雑であり個人差がある。したがって、ステップイン方式を販売している限られたメーカーのブーツが自分の足に合わないときは、ステップイン方式をあきらめるか、合わないのを我慢して履くかしかなかった。そこで、このような不便さを解決するものとして、ＵＳＰ５３５４０８８、ＵＳＰ５０３５４４３、特開平８−３０８９７７などの各公報に示すものがある。これらの従来技術は、できるだけ数多くのメーカーの製品群から自分に会うブーツを探し出すことができ、かつそのブーツをそのままステップイン方式として利用することができるものである。例えば、ＵＳＰ５３５４０８８や特開平８−３０８９７７号公報に示すものは、すべて一枚の金属板からプレス加工で作られたスノーボードブーツ用ホルダにエラストマーの緩衝材を取り付けて構成されている。
【０００６】
【発明が解決しようとする課題】
ソフトタイプのブーツを利用してきたスノーボーダーにとって、柔らかいブーツであることがスノーボードブーツの絶対条件であり、ブーツを硬くしなければならない従来のステップイン方式は不合理で不満足なものであるという課題があった。
【０００７】
また、特開平８−３０８９７７号公報に示す従来の技術では、ブーツのサイズにあわせた種類の金型が必要となり、設備投資が大きくなるため、価格が高くなり、さらに全体が重くなって使いにくく、運搬にも不便という課題があった。
【０００８】
本発明は、このような従来の課題に着目してなされたもので、ソフトタイプのスノーボードブーツに利用できるステップインバインディング方式であって、軽量化、低価格化を図ることができるスノーボードブーツ用ホルダを提供することを目的としている。
【０００９】
【課題を解決するための手段】
上記目的を達成するために、本発明に係るスノーボードブーツ用ホルダは、ブーツホルダーベースＡを有するスノーボードブーツ用ホルダであって、前記ブーツホルダーベースＡは１対のピラーＰと爪先プレート２と踵プレート３とを有し、各ピラーＰは横断面がＬ字状の細長い板状であってコーナーを挟んでベース面と立上がり面とを有し、互いに前記ベース面を同一平面上に配置し前記ベース面を内側にし、前記立上がり面を外側にして互いに並列に配置され、前記爪先プレート２は前記１対のピラーＰのベース面の先端部に固定され、前記踵プレート３は前記１対のピラーＰのベース面の後端部に固定されていることを、特徴とする。
【００１０】
本発明に係るスノーボードブーツ用ホルダは、長さの異なる１対のピラーＰと、幅の異なる爪先プレート２および踵プレート３とを組み合わせて構成することにより、ブーツホルダーベースＡの大きさを変えることができる。このため、本発明に係るスノーボードブーツ用ホルダは、ブーツのサイズごとに大きさが異なる金型を作らずに、種々の大きさのものを揃えることができるので、金型の製造コストを抑えて低価格化を図ることができる。また、爪先プレート２および踵プレート３に軽量の材質を用いることにより、全体の軽量化を図ることができる。
【００１１】
本発明に係るスノーボードブーツ用ホルダは、スノーボードブーツをブーツホルダーベースＡの上に取り付けて用いられる。本発明に係るスノーボードブーツ用ホルダは、１対のピラーＰをスノーボードにステップイン器具を介して固定し、爪先プレート２および踵プレート３をスノーボードの上面に沿わせてスノーボードに固定される。本発明に係るスノーボードブーツ用ホルダは、１対のピラーＰに強度の大きい材質を用いてステップイン器具のための突起または機構に応じた凹部または穴を設けることにより、ソフトタイプのスノーボードブーツに金属部品を付け加える事なく、そのまま利用できるステップイン方式を採用することができる。１対のピラーＰは、横断面がＬ字状のため、平板状のものに比べて曲げ強度が大きい。また、１対のピラーＰは、ベース面を内側にし立上がり面を外側にして互いに並列に配置されているので、立上がり面自体を、ステップイン方式のブーツホルダーをスノーボード上に固定するための機構の補助要素として利用する事も可能である。
【００１２】
他の本発明に係るスノーボードブーツ用ホルダは、スノーボードブーツに着脱可能に取り付けられるスノーボードブーツ用ホルダであって、ブーツホルダーベースＡと、ヒールカップＨと、スポイラーＳと、前ベルトＢ１と、後ベルトＢ２とを有し、前記ブーツホルダーベースＡは１対のピラーＰと爪先プレート２と踵プレート３とを有し、各ピラーＰは横断面がＬ字状の細長い板状であってコーナーを挟んでベース面と立上がり面とを有し、互いに前記ベース面を同一平面上に配置し前記ベース面を内側にし、前記立上がり面を外側にして互いに並列に配置され、前記爪先プレート２は前記１対のピラーＰのベース面の先端部に固定され、前記踵プレート３は前記１対のピラーＰのベース面の後端部に固定され、前記ヒールカップＨはスノーボードブーツの踵部を保持するよう前記１対のピラーＰの後端部に固定され、前記スポイラーＳはスノーボードブーツの後部を保持するよう前記ヒールカップＨに固定され、前記前ベルトＢ１はスノーボードブーツの甲部を保持するよう前記ピラーＰの先端部または前記爪先プレート２に固定され、前記後ベルトＢ２はスノーボードブーツの足首部を保持するよう前記ヒールカップＨ、前記１対のピラーＰの後端部または前記踵プレート３に固定されていることを、特徴とする。
【００１３】
この本発明に係るスノーボードブーツ用ホルダは、ヒールカップＨでスノーボードブーツの踵部を保持し、スポイラーＳでスノーボードブーツの後部を保持し、前ベルトＢ１でスノーボードブーツの甲部を保持し、後ベルトＢ２でスノーボードブーツの足首部を保持することにより、スノーボードブーツを取り付けて用いられる。この本発明に係るスノーボードブーツ用ホルダは、前述の本発明に係るスノーボードブーツ用ホルダと同一の作用、効果を有する。
【００１４】
本発明に係るスノーボードブーツ用ホルダでは、前記爪先プレート２および前記踵プレート３は、リベットまたはボルトを用いて前記１対のピラーＰに固定され、底面に弾性体のスパイクＫを有することが好ましい。上記構成によれば、スパイクＫにより、爪先プレート２および前記踵プレート３の底面をスノーボードに密着させることができ、スノーボードの操作性を向上させることができる。
【００１５】
本発明に係るスノーボードブーツ用ホルダでは、前記爪先プレート２および前記踵プレート３は、バネ鋼、ＦＲＰまたは硬質プラスチックを芯材としてウレタンゴム、エラストマー、ゴムその他の弾性材で被覆したものから成ることが好ましい。また、前記爪先プレート２および前記踵プレート３はプラスチックから成り、それぞれ両側部に前記１対のピラーＰの前端部および後端部を挿入可能な保持部を有し、各ピラーＰは前記前端部および前記後端部が各保持部に挿入されて固定されていてもよい。
【００１６】
本発明に係るスノーボードブーツ用ホルダでは、前記爪先プレート２および前記踵プレート３は前記１対のピラーＰに固定位置を調節可能に取り付けられていることが好ましい。この場合、スノーボードブーツの大きさに合わせて爪先プレート２および踵プレート３の１対のピラーＰに対する固定位置を調節することにより、種々の大きさのスノーボードブーツに使用することができる。
【００１７】
本発明に係るスノーボードブーツ用ホルダでは、前記ヒールカップＨは前記１対のピラーＰのベース面に取り付けられていてもよい。前記１対のピラーＰおよび前記ヒールカップＨは一体に構成されていてもよい。本発明に係るスノーボードブーツ用ホルダでは、前記前ベルトＢ１は複数のベルト部を連結して成り、各ベルト支点部は前記ピラーＰに複数箇所取り付けられていてもよい。
【００１８】
本発明に係るスノーボードブーツ用ホルダでは、前記ヒールカップＨは両側部に後方への突出部Ｐ６を有し、前記後ベルトＢ２は前記突出部Ｐ６に取り付けられていてもよい。この場合、スノーボードの操作性が向上する。すなわち後ベルトＢ２にかかる力は、支点、力点間の距離が長いほど大きくなるところの、てこの原理で拡大されスノーボードの前方エッジに荷重が伝わりやすくなり操作性を高めることができる。
【００１９】
本発明に係るスノーボードブーツ用ホルダでは、前記爪先プレート２および前記前ベルトＢ１は一体に構成されていてもよい。前記ヒールカップＨおよび前記スポイラーＳはプラスチックまたはＦＲＰから成って一体に構成され、各ピラーＰに角度調節機構を介して取り付けられていてもよい。この場合、角度を調節する為の補助機構が取り付け部分に加えられる。
【００２０】
【発明の実施の形態】
以下、図面に基づき、本発明の実施の形態について説明する。
図１乃至図１０は、本発明の実施の形態を示している。
図１乃至図４に示すように、スノーボードブーツ用ホルダ１は、ブーツホルダーベースＡと、ヒールカップＨと、スポイラーＳと、前ベルトＢ１と、後ベルトＢ２とから成っている。ブーツホルダーベースＡは、１対のピラーＰと、爪先プレート２と、踵プレート３とから成っている。
【００２１】
各ピラーＰは、ステンレスその他の金属製で、横断面がＬ字状の細長い板状である。１対のピラーＰは、横断面がＬ字状のため、平板状のものに比べて曲げ強度が大きい。各ピラーＰは、コーナーを挟んでベース面Ｐ１と立上がり面Ｐ２とを有している。各ピラーＰは、互いにベース面Ｐ１を同一平面上に配置し、ベース面Ｐ１を内側にし、立上がり面Ｐ２を外側にして互いに並列に配置されている。各ピラーＰは、立上がり面Ｐ２の先端部および後端部に複数の取付孔Ｐ３を有している。各ピラーＰは、立上がり面Ｐ２の外側の中央部に、立上がり面Ｐ２に垂直の突起Ｐ４を有している。この突起Ｐ４は、ステップインバインディングの固定機構に合わせて構成され、凹部またはピンが挿入される穴で構成することもできる。
【００２２】
爪先プレート２および踵プレート３は、板状の金属バネ材を芯材４としてゴム５で被覆したものから成っている。爪先プレート２は、各ピラーＰのベース面Ｐ１の先端部にリベット６を用いてそれぞれ２箇所で固定されている。踵プレート３は、各ピラーＰのベース面Ｐ１の後端部にリベット６を用いてそれぞれ２箇所で固定されている。爪先プレート２および踵プレート３は、底面にゴム製のスパイクＫを有している。
【００２３】
図１に示すように、ヒールカップＨはジュラルミンまたはプラスチックから成り、１対のピラーＰの立上がり面Ｐ２に取り付けられている。ヒールカップＨは立上がり面Ｐ２の後端部に４箇所の取付孔Ｐ３のうち２箇所でネジにより取り付けられている。スポイラーＳは、プラスチックまたはＦＲＰから成り、ブーツから後方に押す方向に伝わる力をヒールカップに伝達すべく構成され、然るべくヒールカップに固定されている。ヒールカップＨおよびスポイラーＳは、スノーボードブーツの大きさに合わせて、ネジで固定する取付孔の位置を変更して取り付け位置を調節することができる。
【００２４】
前ベルトＢ１は１対の互いに結合可能なベルト片から成り、各ベルト片はそれぞれ１対のピラーＰの立上がり面Ｐ２に取り付けられている。各ベルト片は、一端が各ピラーＰの立上がり面Ｐ２の先端部に、複数の取付孔Ｐ３のうち１箇所でネジＢ３により取り付けられている。前ベルトＢ１は、スノーボードブーツの大きさに合わせて、ネジＢ３を挿入し固定する取付孔Ｐ３の位置を調節することができる。後ベルトＢ２は１対の互いに結合可能なベルト片から成り、各ベルト片は一端がそれぞれヒールカップＨの両側面にネジＢ４で取り付けられている。後ベルトＢ２でスノーボードブーツの足首部を締め付けることにより、足首部の安定性を高めることができる。
【００２５】
次に、作用について説明する。
図１乃至図４に示すように、スノーボードブーツ用ホルダ１は、製造の際、長さの異なる１対のピラーＰと、幅の異なる爪先プレート２および踵プレート３とを組み合わせて構成することにより、ブーツホルダーベースＡの大きさを変えることができる。このため、スノーボードブーツ用ホルダ１は、ブーツのサイズごとに大きさが異なる金型を作らずに、種々の大きさのものを揃えることができるので、金型の製造コストを抑えて低価格化を図ることができる。また、ピラーＰ、爪先プレート２および踵プレート３にそれぞれ最適の材質を用いることにより、全体の軽量化を図ることができる。
【００２６】
図１乃至図４に示すスノーボードブーツ用ホルダ１は、スノーボードブーツをブーツホルダーベースＡの上に取り付けて用いられる。図１に示すスノーボードブーツ用ホルダ１は、ヒールカップＨでスノーボードブーツの踵部を保持し、スポイラーＳでスノーボードブーツの後部を保持し、前ベルトＢ１でスノーボードブーツの甲部を締め付けて保持し、後ベルトＢ２でスノーボードブーツの足首部を締め付けて保持することにより、スノーボードブーツに取り付けられる。
【００２７】
図１乃至図４に示すスノーボードブーツ用ホルダ１は、１対のピラーＰをスノーボードに取り付けたステップインバインディング金具により固定し、爪先プレート２および踵プレート３をスノーボードの上面に沿わせてスノーボードに取り付けられる。このとき、スパイクＫにより、爪先プレート２および踵プレート３の底面をスノーボードに対して密着させることができ、スノーボードの操作性を向上させることができる。
【００２８】
スノーボードブーツ用ホルダ１は、１対のピラーＰの突起Ｐ４にスノーボード側に固定されるステップインバインディング金具に設けられた可動爪を噛み合わせて固定することができるため、ソフトタイプのスノーボードブーツに利用できるステップインバインディング方式を採用することができる。
【００２９】
なお、図５に示すように、スノーボードブーツ用ホルダ１は、ヒールカップＨが１対のピラーＰの後端部のベース面Ｐ１に取り付けられていてもよい。この場合、ヒールカップＨは、踵プレート３と共通のリベット６を用いて、各ピラーＰに固定されても、また独自に固定されても良い。
【００３０】
また、図６に示すように、スノーボードブーツ用ホルダ１は、爪先プレート２および前ベルトＢ１が一体成型により一体に構成されていてもよい。前ベルトＢ１の各ベルト片は、一端がそれぞれ爪先プレート２の両側部に一体的に設けられ、両側部から各ピラーＰの外側で立ち上がっている。前ベルトＢ１は、バックルＢ５でスノーボードブーツの甲部を締め付けて保持することができる。
【００３１】
また、図７乃至図９に示すように、スノーボードブーツ用ホルダ１は、爪先プレート２および踵プレート３がプラスチックから成り、爪先プレート２および踵プレート３のそれぞれ両側部に１対のピラーＰの前端部および後端部を挿入可能な保持部７を有していてもよい。この場合、爪先プレート２および踵プレート３は、上面の両側部に縁に沿って細長い段状の立上がり部８を有する。立上がり部８は、上面に対して垂直をなしている。図７に示すように、保持部７は、爪先プレート２および踵プレート３の立上がり部８に長さ方向に沿って形成された横断面Ｌ字型の孔から成る。
【００３２】
爪先プレート２の各保持部７は後端部に挿入口を有し、踵プレート３の各保持部７は前端部に挿入口を有する。１対のピラーＰは、前端部が爪先プレート２の両側部の各孔に挿入され、後端部が踵プレート３の両側部の各孔に挿入されて固定されている。
【００３３】
図９に示すように、前ベルトＢ１は一組の幅広の締め付け機構とすることが好ましい。すなわち、前ベルトＢ１は、複数のベルト部Ｂ６を連結部Ｂ７で一体に連結して成り、複数の支点Ｐ５によりピラーＰに取り付けてある。各ベルト部Ｂ６は、複数のバックルＢ８により締め付け可能であり、より精密な調整が可能である。そのとき、前ベルトＢ１の支点Ｐ５は、ピーラーＰ上で前部に限らずに自由に設定可能である。
【００３４】
図６に示すように、スノーボードブーツ用ホルダ１は、爪先プレート２および前ベルトＢ１が一体に構成されていてもよい。この場合、前ベルトＢ１は、爪先プレート２の両側部の上部から延長して形成されており、バックルＢ５でスノーボードブーツの甲部を締め付けて保持することができるようになっている。
なお、図７乃至図８の態様で、爪先プレート２および踵プレート３は、立上がり部８を有して、その両側部に横断面Ｌ字型の溝孔から成る保持部７を有し、１対のピラーＰが立上がり面Ｐ２を保持部７に挿入固定させていてもよい。
【００３５】
また、図１０に示すように、スノーボードブーツ用ホルダ１は、ヒールカップＨおよびスポイラーＳがプラスチックまたはＦＲＰから成って、一体成型によりヒールカップ兼スポイラーＳＨを構成していてもよい。ヒールカップ兼スポイラーＳＨは、各ピラーＰの立上がり面Ｐ２またはベース面Ｐ１の後部に角度調節機構を組み合わせて、ネジ９により取り付けられる。
【００３６】
【発明の効果】
本発明によれば、ソフトタイプのスノーボードブーツに利用できるステップインバインディング方式を採用しながら、軽量化、低価格化を図ることができるスノーボードブーツ用ホルダを提供することができる。
【図面の簡単な説明】
【図１】本発明の実施の形態のスノーボードブーツ用ホルダの側面図である。
【図２】図１に示すスノーボードブーツ用ホルダのブーツホルダーベースＡの側面図である。
【図３】図２に示すブーツホルダーベースＡの爪先プレート２の断面図である。
【図４】図２に示すブーツホルダーベースＡの平面図である。
【図５】図１に示すスノーボードブーツ用ホルダのヒールカップＨの変形例を示す平面図である。
【図６】図１に示すスノーボードブーツ用ホルダの爪先プレート２および前ベルトＢ１の変形例を示す断面図である。
【図７】図１に示すスノーボードブーツ用ホルダの爪先プレート２の変形例を示す断面図である。
【図８】図１に示すスノーボードブーツ用ホルダの爪先プレート２の変形例を示す断面図である。
【図９】図１に示すスノーボードブーツ用ホルダの前ベルトＢ２の変形例およびヒールカップＨの変形例を示す断面図である。
【図１０】図１に示すスノーボードブーツ用ホルダのヒールカップＨおよびスポイラーＳに関する変形例を示す斜視図である。
【符号の説明】
１    スノーボードブーツ用ホルダ
２    爪先プレート
３    踵プレート
Ａ    ブーツホルダーベース
Ｂ１  前ベルト
Ｂ２  後ベルト
Ｈ    ヒールカップ
Ｋ    スパイク
Ｐ    ピラー
Ｐ１  ベース面
Ｐ２  立上がり面
Ｐ３  取付孔
Ｐ４  突起
Ｐ６  突出部
Ｓ    スポイラー
【図１】
2004147808.tif 000003
【図２】
2004147808.tif 000004
【図３】
2004147808.tif 000005
【図４】
2004147808.tif 000006
【図５】
2004147808.tif 000007
【図６】
2004147808.tif 000008
【図７】
2004147808.tif 000009
【図８】
2004147808.tif 000010
【図９】
2004147808.tif 000011
【図１０】
2004147808.tif 000012